(57)【要約】【課題】電池を使用しない期間に電池を監視する際に、電力供給を制御することにより、待機電力を低減するとともに過充電と過放電の監視ができる電池監視装置を提供する。【解決手段】組電池の状態を監視して組電池の状態を示す状態情報を送信する監視制御部と、組電池から電力が供給され、組電池の過充電および過放電を監視する電池異常監視部と、を備える監視部と、監視制御部から送信される状態情報を受信する電池制御部と、監視制御部への電力供給を遮断する切替部と、を備える電池管理部と、を有する電池監視装置である。【選択図】図１
2014226020.tif 000002
【特許請求の範囲】
【請求項１】
組電池の状態を監視して前記組電池の状態を示す状態情報を送信する監視制御部と、
前記組電池に並列に接続され、前記組電池から電力が供給され、前記組電池の異常を監視する電池異常監視部と、
を備える監視部と、
前記監視制御部から送信される前記状態情報を受信する電池制御部と、
前記監視制御部への電力供給を遮断する切替部と、
を備える電池管理部と、
を有することを特徴とする電池監視装置。
【請求項２】
前記切替部は、前記電池制御部がスリープ状態になるとき、前記監視制御部への電力供給を遮断することを特徴とする請求項１に記載の電池監視装置。
【請求項３】
前記電池異常監視部は、前記組電池が過充電および過放電であるかの監視、前記組電池に流れる電流が過電流であるかの監視、前記組電池の温度が異常であるかの監視、のうち１つ以上を用いて前記組電池の異常を監視することを特徴とする請求項１又は請求項２に記載の電池監視装置。
【請求項４】
前記監視制御部への前記電力供給は、前記組電池を用いて生成される電力を前記電池管理部を介して供給されることを特徴とする請求項１〜３の何れか１項に記載の電池監視装置。
【請求項５】
前記電池管理部への前記電力供給は、前記組電池を用いて生成される電力を用いて供給されることを特徴とする請求項１〜３の何れか１項に記載の電池監視装置。
【請求項６】
前記電池制御部は、スリープ状態にあるときに、前記電池異常監視部から過充電異常または過放電異常があったことを示す信号を受信すると、スリープ状態から復帰することを特徴とする請求項１〜５の何れか１項に記載の電池監視装置。
【請求項７】
所定条件になったとき、前記電池異常監視部から前記電池制御部へ前記組電池の異常を送るための信号線のレベルが変化され、
前記電池制御部は、前記所定条件になったとき、前記信号線のレベルが変化していないと判断すると、前記信号線に異常が発生していると判断することを特徴とする請求項１〜６の何れか１項に記載の電池監視装置。
【請求項８】
前記監視制御部は、前記所定条件になったとき、前記信号線のレベルを変化させるとともに、前記信号線のレベルを変化させた旨の信号を前記電池制御部に送り、
前記電池制御部は、前記信号線のレベルを変化させた旨の信号が前記監視制御部から送られてくるとき、前記信号線のレベルが変化していないと判断すると、前記信号線に異常が発生していると判断することを特徴とする請求項７に記載の電池監視装置。
【請求項９】
前記電池制御部は、前記所定条件になったとき、前記電池管理部内の前記信号線のレベルを変化させるとともに、自身に入力される前記信号線のレベルが変化していないと判断すると、前記電池管理部内の前記信号線に異常が発生していると判断することを特徴とする請求項７に記載の電池監視装置。
【請求項１０】
前記監視制御部は、前記信号線のレベルを示す信号を前記電池制御部に送り、
前記電池制御部は、前記所定条件になったとき、前記監視制御部から送られてくる信号に示される前記信号線のレベルが変化していないと判断すると、前記信号線に異常が発生していると判断することを特徴とする請求項９に記載の電池監視装置。
【請求項１１】
前記所定条件は、前記組電池に流れる電流が所定の値より小さくなったとき、又は、前記監視制御部への電力供給が遮断される直前になったときであることを特徴とする請求項７〜１０の何れか１項に記載の電池監視装置。
【請求項１２】
前記電池制御部は、前記監視制御部への電力の供給と遮断が繰り返されるように前記切替部の動作を制御することを特徴とする請求項７〜１１の何れか１項に記載の電池監視装置。
【請求項１３】
複数の前記組電池のそれぞれの異常を監視するために、複数の前記監視部を有し、
互いに異なるタイミングにより、前記電池制御部と前記複数の監視部との間にそれぞれ設けられる信号線のレベルが変化され、
前記電池制御部は、自身に入力される前記信号線のレベルが変化していないと判断すると、そのときのタイミングに対応する前記信号線に異常が発生していると判断する
ことを特徴とする請求項１〜６の何れか１項に記載の電池監視装置。
【発明の詳細な説明】
【技術分野】
【０００１】
本発明は、電池を監視する電池監視装置に関する。
【背景技術】
【０００２】
従来、車両などで電池を使用する際には、電池の状態を監視するための制御部を設け、この制御部により過充電および過放電などを監視している。また、車両には電池を使用しない期間が存在するため、その期間において電池の消費を低減させるために制御部のＣＰＵ（Central Processing Unit）の設定をスリープモードにし、制御部をスリープ状態にしている。しかしながら、制御部がスリープ状態であっても、制御部へ電力が供給されるので、制御部は待機電力を消費する。また、制御部がスリープ状態でも過充電および過放電の監視を行う必要があるが、スリープ状態にすると電池の過充電および過放電を監視できない。
【先行技術文献】
【特許文献】
【０００３】
【特許文献１】特開２０１１−１１５０１５号公報
【特許文献２】特開２０１３−０７６６０２号公報
【特許文献３】特開２０１１−０７８１７４号公報
【発明の概要】
【発明が解決しようとする課題】
【０００４】
本発明は、電池を使用しない期間に電池を監視する際に、電力供給を制御することにより、待機電力を低減するとともに過充電と過放電などの監視ができる電池監視装置を提供することを目的とする。
【課題を解決するための手段】
【０００５】
本発明の態様のひとつである電池監視装置は監視部と電池管理部を有する。
監視部は監視制御部と電池異常監視部を有する。監視制御部は組電池の状態を監視して組電池の状態を示す状態情報を送信する。電池異常監視部は、組電池に並列に接続され、組電池から電力が供給され、組電池の異常を監視する。
【０００６】
電池管理部は電池制御部と切替部を有する。電池制御部は監視制御部から送信される状態情報を受信する。切替部は監視制御部への電力供給を遮断する。
【発明の効果】
【０００７】
実施の態様によれば、電池を使用しない期間で電池を監視する際に、電力供給を制御することにより、待機電力を低減するとともに過充電と過放電の監視ができるという効果を奏する。
【図面の簡単な説明】
【０００８】
【図１】図１は、電池監視装置の一実施例を示す図である。
【図２】図２は、電池監視装置の他の実施例（その１）を示す図である。
【図３】図３は、監視制御部の動作例を示すフローチャートである。
【図４】図４は、電池制御部の動作例を示すフローチャートである。
【図５】図５は、信号線のレベルを変化させるための構成例を示す図である。
【図６】図６は、電池制御装置の他の実施例（その２）を示す図である。
【図７】図７は、電池制御装置の他の実施例（その３）を示す図である。
【図８】図８は、電池制御部の動作例を示すフローチャートである。
【発明を実施するための形態】
【０００９】
以下図面に基づいて実施形態について詳細を説明する。
図１は電池監視装置の一実施例を示す図である。図１に示す電池監視装置は、電池管理部１、監視部２を有している。
【００１０】
電池管理部１は、電池制御部４、切替部７、変換部８を有する。電池管理部１は、例えば、電池ＥＣＵ（Electronic Control Unit）などが考えられる。
電池制御部４は、監視部２の監視制御部５から送信される電池の状態を示す状態情報を、信号線（通信線）１５を介して受信する。状態情報は、例えば、組電池３の電圧、組電池３の電池それぞれの電圧、組電池３に流れる電流、組電池３の温度などを計測する計測器を用いて計測した値を有する情報である。さらに、電池制御部４は状態情報を用いて組電池３の充放電の監視を行う。なお、電池制御部４はＣＰＵ、マルチコアＣＰＵ、プログラマブルなデバイス（ＦＰＧＡ（Field Programmable Gate Array）、ＰＬＤ（Programmable Logic Device）など）を用いることが考えられる。
【００１１】
切替部７は、電池管理部１から監視制御部５へ電力を供給する経路、より具体的には、電池管理部１の変換部８と監視制御部５との間にある電力線の途中に設けられ、電池制御部４がスリープ状態になるときに、１つ以上の監視部２の有する監視制御部５への電力供給を遮断する。すなわち、電池制御部４から出力されたスリープ状態に移行することを示す信号を信号線１１を介して切替部７が受信すると、切替部７が変換部８と切替部７との間にある電力線１３と切替部７と監視制御部５との間にある電力線１４の接続を遮断することにより、変換部８から監視制御部５への電力供給を遮断する。即ち、監視部２の監視制御部５は、組電池３からの電力を監視部２と独立した電池管理部１を介して供給され、スリープ状態になるときは電池管理部１の切替部７により電力供給が遮断される。なお、切替部７はスイッチ、リレーなどが考えられる。
【００１２】
変換部８は、例えば、電圧を変換する素子、電圧変換器が考えられる。図１の例では変換部８が電力線９と電力線１０を用いて組電池３と接続されているので、組電池３の電圧を電池制御部４および監視制御部５で使用される電圧に変換している。なお、電池制御部４と監視制御部５に供給する電圧が異なる場合には、変換部８は電池制御部４と監視制御部５に対応する異なる電圧を出力する。この場合には、電池制御部４に電力を供給する電力線と監視制御部５に電力を供給する電力線を設け、監視制御部５に電力を供給する電力線だけを切替部７に接続する。
【００１３】
監視部２は監視制御部５と電池異常監視部６を有する。監視制御部５は、例えば、電池ＥＣＵなどが考えられる。
監視制御部５は組電池３ごとに設けられ、組電池３の状態を監視して状態情報を、信号線１５を介して電池管理部１の電池制御部４へ送信する。図１では監視制御部５は組電池３の電圧、組電池３を構成する１つ以上の電池それぞれの電圧、組電池に流れる電流、組電池の温度などを計測する計測器と接続されていないが、実際の装置では計測器それぞれと接続されている。状態情報は、それらの計測器が測定した結果を用いて監視制御部５により生成される。なお、監視制御部５が組電池３ごとに設けられる場合は、例えば組電池３が並列に複数ある場合は監視制御部５も複数ある。また、１つの監視制御部５が複数の組電池３の状態を監視するようにしてもよい。
【００１４】
さらに、組電池３を使用していない期間は、電池制御部４がスリープ状態に移行するため、監視制御部５への電力供給が切替部７により遮断され、監視制御部５が停止状態となる。その結果、監視制御部５を駆動するための電力が消費されなくなる。
【００１５】
なお、監視制御部５はＣＰＵ、マルチコアＣＰＵ、プログラマブルなデバイスなどを用いることが考えられる。
電池異常監視部６は、組電池３に並列に接続されて組電池３から電力が供給され、組電池３の過充電および過放電を監視して、過充電または過放電になると信号線１２を介して電池管理部１の電池制御部４に通知する。例えば、電池異常監視部６は、組電池３が過充電または過放電になると、信号線１２の信号レベル又は電圧レベル（以下、信号線１２のレベルという）を変化させることで、組電池３が過充電または過放電になった旨を電池制御部４に伝える。電池異常監視部６は組電池３が未使用の場合でも過充電および過放電を監視する。特に組電池３の電池としてリチウム電池を使用した場合には、未使用の場合において電池監視を行うことが重要である。
【００１６】
ここで、未使用の場合とは電池が充放電をしていない期間である。例えば、車両の場合にはイグニションスイッチがオフの状態などが考えられる。さらに、組電池３がまだ車両に搭載されてない場合が考えられる。例えば、組電池３を輸送する場合など。
【００１７】
ところが、未使用の場合には監視制御部５が停止状態であるため、電池の状態を監視制御部５が監視できない、そうすると未使用の場合に、組電池３または電池の破損または故障により過充電および過放電が発生しても、そのことを検出できない。
【００１８】
そこで電池異常監視部６に組電池３から電力を供給して駆動させることで、未使用の場合に電池の破損または故障が発生しても過充電および過放電を検出できるようにする。
このように、電池を使用しない期間で電池を監視する際に、監視制御部５への電力供給を制御することにより監視部２の待機電力を低減する。さらに、電池異常監視部６に組電池３から電力を供給することで過充電と過放電の監視ができるという効果を奏する。
【００１９】
図１に示した電池監視装置は、組電池の他に補機などのバッテリを使用しない電気自動車に採用することが望ましい。例えば、フォークリフトなどに用いることが望ましい。
この電池監視装置を組電池の他に補機などのバッテリを使用する車両に採用する場合には、電池制御部４および監視制御部５への電力供給は補機から出力される電力を利用して駆動してもよい。
【００２０】
また、スリープ状態になるのは、組電池３を使用しない期間に限らず、組電池３に流れる電流が所定の値より小さくなる期間でもよい。
また、電池制御部４がスリープ状態に移行しない場合において、監視部２の待機電力を低減するために、切替部７により監視制御部５への電力供給が遮断されてもよい。
【００２１】
また、電池異常監視部６は組電池３に流れる電流が過電流であるか否かを監視してもよい。例えば、組電池３に直列に接続される電流計測部に流れる電流を見て過電流を監視する。なお、過充電と過放電と過電流を監視してもよい。さらに、過電流を監視する回路を過充電および過放電を監視する回路と別に設けてもよい。ただし、過電流を監視する回路への電力は組電池３から供給される。
【００２２】
また、電池異常監視部６は、温度異常を監視してもよい。例えば、組電池３の近傍に備えられる温度計測部の温度を監視する。その場合、異常であると判定される温度値または温度変化を示したとき、温度異常と判定する。なお、過充電と過放電と過電流、温度異常を監視してもよい。さらに、温度異常を監視する回路を過充電および過放電を監視する回路や過電流を監視する回路と別に設けてもよい。ただし、温度を監視する回路への電力は組電池３から供給する。
【００２３】
このように、電池異常監視部６は、組電池３が過充電および過放電であるかの監視、組電池３に流れる電流が過電流であるかの監視、組電池３の温度が異常であるかの監視、のうちの何れか１つを用いて組電池３の異常を監視してもよい。またはそれらの監視を組み合わせて組電池３の異常を監視してもよい。
【００２４】
また、電池制御部４がスリープ状態にあるとき、過充電異常または過放電異常を示す信号を電池異常監視部６から受信すると、スリープ状態から復帰する。さらに、電池制御部４は、過電流異常または温度異常を示す信号を電池異常監視部６から受信した場合にも、スリープ状態から復帰する。
＜他の実施例（その１）＞
図２は、電池監視装置の他の実施例（その１）を示す図である。なお、図１に示す構成と同じ構成には同じ符号を付している。
【００２５】
図２に示す電池監視装置では、監視制御部５により信号線１２のレベルが変化されるとき（矢印Ａ）、電池制御部４により信号線１２に異常（例えば、断線や短絡など）が発生しているか否かの判断が行われる。
【００２６】
すなわち、図３に示すように、監視制御部５は、所定条件になると（Ｓ３１：Ｙｅｓ）、信号線１２のレベルを変化させるとともに信号線１２のレベルを変化させた旨の信号を信号線１５を介して電池制御部４へ送る（Ｓ３２）。なお、上記所定条件は、例えば、組電池３に流れる電流が所定の値より小さくなったとき、又は、監視制御部５への電力供給が遮断される直前になったときなどとする。
【００２７】
また、図４に示すように、電池制御部４は、信号線１２のレベルを変化させた旨の信号が監視制御部５から送られてくるとき（Ｓ４１：Ｙｅｓ）、信号線１２のレベルが変化していないと判断すると（Ｓ４２：Ｙｅｓ）、信号線１２に異常が発生していると判断する（Ｓ４３）。なお、図３や図４に示すフローチャートは、例えば、定期的に実行されてもよいし、外部からの指示に応じて実行されてもよい。
【００２８】
例えば、図５に示すように、電池管理部１において信号線１２にハイレベルの電圧をプルアップ抵抗１６を介して印加しておき、組電池３の異常（過充電または過放電）検知時、電池異常監視部６が信号線１２のレベルをハイレベルからローレベルに変化させる場合を考える。
【００２９】
この場合、監視制御部５は、所定条件になると、信号線１２とグランドとの間に設けられるスイッチ１７（例えば、ｎｐｎバイポーラトランジスタなど）をオフからオンに切り替えることで、信号線１２のレベルをハイレベルからローレベル（グランドの電位）に変化させる。このとき、監視制御部５は、信号線１２のレベルを変化させた旨の信号を信号線１５を介して電池制御部４へ送る。
【００３０】
電池制御部４は、信号線１２のレベルを変化させた旨の信号が送られてきたとき、信号線１２のレベルがハイレベルからローレベルに変化していると判断すると、信号線１２に異常が発生していないと判断し、信号線１２のレベルを変化させた旨の信号が送られてきたとき、信号線１２のレベルがハイレベルのままであると判断すると、信号線１２に異常が発生していると判断する。
【００３１】
なお、電池異常監視部６は、組電池３の異常を検知したとき、信号線１２のレベルをローレベルからハイレベルに変化させてもよい。この場合、監視制御部５は、所定条件になると、信号線１２のレベルをローレベルからハイレベルに変化させ、電池制御部４は、信号線１２のレベルを変化させた旨の信号が送られてきたとき、信号線１２のレベルがローレベルのままであると判断すると、信号線１２に異常が発生していると判断する。
【００３２】
図３に示す電池監視装置によれば、信号線１２の異常を検知することができる。
＜他の実施例（その２）＞
図６は、電池監視装置の他の実施例（その２）を示す図である。なお、図２に示す構成と同じ構成には同じ符号を付している。他の実施例（その２）は、他の実施例（その１）の監視部２を複数接続した構成である。
【００３３】
図６に示す電池監視装置では、複数の組電池３のそれぞれの異常を監視するために、複数の監視部２を有している。また、複数の監視部２の各電池異常監視部６に一端が接続される各信号線１２は、他端が１つに接続され、電池制御部４に接続される。
【００３４】
また、複数の監視部２の各電池異常監視部６は、組電池３の異常を検知すると、信号線１２のレベルを変化させる。このとき、電池制御部４は、信号線１２のレベルが変化したと判断すると、各組電池３のうちの少なくとも１つが異常であると判断する。
【００３５】
また、複数の監視部２の各監視制御部５は、互いに異なるタイミングにより電池制御部４と各電池異常監視部６との間にそれぞれ設けられる信号線１２のレベルを変化させる。このとき、電池制御部４は、入力される信号線１２のレベルが変化していないと判断すると、そのときのタイミングに対応する信号線１２に異常が発生していると判断する。
【００３６】
例えば、電池制御部４と各監視制御部５は、クロック信号などにより同期がとれており、予め各監視制御部５にそれぞれ識別情報を割り当てている。また、電池制御部４は、信号線１２の異常検知を行う際、信号線１２の異常検知を行う旨の信号を信号線１５を介して各監視制御部５に送る。各監視制御部５は、信号線１２の異常検知を行う旨の信号が送られてくると、自身に割り当てられた識別情報に対応するタイミングにおいて信号線１２のレベルを変化させる。そして、電池制御部４は、各監視制御部５の識別情報に対応するタイミング毎に、入力される信号線１２のレベルが変化しているか否かを判断する。
【００３７】
図６に示す電池監視装置によれば、監視部２を複数有する場合において、どの信号線１２に異常が発生したかを検知することができる。
＜他の実施例（その３）＞
図７は、電池監視装置の他の実施例（その３）を示す図である。なお、図１に示す構成と同じ構成には同じ符号を付している。
【００３８】
図７に示す電池監視装置では、監視制御部５により信号線１２のレベルが監視（モニタリング）され（矢印Ｂ）、その監視結果が通信線１５やＣＡＮ（Controller Area Network）通信などを用いて電池制御部４に送られている。また、図７に示す電池監視装置において、電池制御部４は、信号線１２のレベルを変化させるとき（矢印Ｃ）、自身に入力される信号線１２のレベルや監視制御部５から送られてくる監視結果に基づいて、信号線１２に異常が発生しているか否かの判断を行う。
【００３９】
すなわち、電池制御部４は、図８に示すように、組電池３に流れる電流が所定の値よりも小さくなったことを示す情報を監視制御部５から受け取ると（Ｓ８１：Ｙｅｓ）、電池管理部１内の信号線１２のレベルを変化させる（Ｓ８２）。
【００４０】
また、電池制御部４は、信号線１２のレベルを変化させたときに自身に入力される信号線１２のレベルが変化していない、又は、信号線１２のレベルを変化させたときに監視制御部５から信号線１５などを介して送られてくる信号に示される信号線１２のレベルが変化していないと判断すると（Ｓ８３：Ｙｅｓ）、信号線１２に異常が発生していると判断する（Ｓ８４）。電池制御部４が信号線１２のレベルを直接監視し、その結果、信号線１２のレベルが変化していなかった場合、電池管理部１内の信号線１２の異常を検知することができる。また、監視制御部５から信号線１５を介して電池制御部４へ送られる信号に示される信号線１２のレベルが変化していない場合は、電池管理部１と監視部２との間の信号線１２や監視部２内の信号線１２の異常を検知することができる。
【００４１】
また、電池制御部４は、信号線１２のレベルを変化させたときに自身に入力される信号線１２のレベルが変化し、かつ、信号線１２のレベルを変化させたときに監視制御部５から信号線１５などを介して送られてくる信号に示される信号線１２のレベルが変化していると判断すると（Ｓ８３：Ｎｏ）、信号線１２に異常が発生していないと判断する（Ｓ８５）。
【００４２】
次に、電池制御部４は、監視制御部５への電力供給を遮断させた後（Ｓ８６）、所定時間経過後（Ｓ８７：Ｙｅｓ）、切替部７の動作を制御して監視制御部５へ電力を供給させ（Ｓ８８）、Ｓ８２に戻る。
【００４３】
すなわち、図７に示す電池監視装置では、組電池３に流れる電流が所定の値よりも小さくなると、監視制御部５への電力の供給と遮断を繰り返す間欠動作を行うとともに、監視制御部５への電力供給を遮断する前に信号線１２に異常が発生した場合、監視制御部５への電力供給を遮断させない。
【００４４】
なお、図７に示す電池監視装置において、電池制御部４は、信号線１２のレベルを変化させたときに自身に入力される信号線１２のレベルが変化していないか否かの判断結果のみに応じて、信号線１２に異常が発生しているか否かを判断してもよい。
【００４５】
また、図７に示す電池監視装置において、電池制御部４は、信号線１２のレベルを変化させたときに監視制御部５から信号線１５などを介して送られてくる信号に示される信号線１２のレベルが変化していないか否かの判断結果のみに応じて、信号線１２に異常が発生しているか否かを判断してもよい。
【００４６】
また、図７に示す電池監視装置において、信号線１２の異常を検知する際、図２や図６に示す電池監視装置と同様に、監視制御部５により信号線１２のレベルが変化され、電池制御部４により信号線１２のレベルが変化したか否かの判断結果に応じて信号線１２に異常が発生したか否かが判断されるように構成してもよい。
【００４７】
図７に示す電池監視装置によれば、信号線１２に異常が発生したことを検知することができる。また、組電池３に流れる電流が所定の値よりも小さくなると、電池制御部４を間欠動作させる構成であるため、監視部２の待機電力を低減することができる。
【００４８】
また、本発明は、上記実施の形態に限定されるものでなく、本発明の要旨を逸脱しない範囲内で種々の改良、変更が可能である。
例えば、他の実施例（その１）〜（その３）において、所定条件は、組電池に流れる電流が所定の値より小さくなったとき、又は、監視制御部５への電力供給が遮断される直前になったときなど、としたが、それに限らない。この場合、所定のタイミングになったときでも良く、また、組電池に流れる電流が所定の値より小さくなった後、所定のタイミングになったときでも良い。例えば、電池制御部４から監視制御部５へ信号線１５を介してタイミングを示す指示が送信され、監視制御部５は、指示に基づいたタイミングで信号線１２のレベルを変化させても良い。そして、電池制御部４は、そのタイミングになったとき、信号線１２のレベルが変化していないと判断すると、信号線１２に異常が発生していると判断することができる。
【符号の説明】
【００４９】
１  電池管理部、
２  監視部、
３  組電池、
４  電池制御部、
５  監視制御部、
６  電池異常監視部、
７  切替部、
８  変換部、
９、１０、１３、１４  電力線、
１１、１２、１５  信号線、
１６  プルアップ抵抗
１７  スイッチ
【図１】
2014226020.tif 000003
【図２】
2014226020.tif 000004
【図３】
2014226020.tif 000005
【図４】
2014226020.tif 000006
【図５】
2014226020.tif 000007
【図６】
2014226020.tif 000008
【図７】
2014226020.tif 000009
【図８】
2014226020.tif 000010